(57)【要約】【課題】本発明は、ディスク装置の小型化、薄型化、軽量化を達成すべき課題として、簡単な構成でディスクを搬送するための搬送空間やフローティングフレームと固定側フレームとの間の保持空間を必要な限り小さくして、小型化、薄型化及び軽量化を達成したディスク装置を提供することを目的としてなされたものである。【解決手段】本発明のディスク装置において、固定側フレームに対してフローティング状態で配設されたフローティングユニットは、ローラアームがディスク状記録媒体を固定側フレームに設けられたディスクガイドに押し付けて自転し、当該ディスク状記録媒体を所望の位置に搬送するよう構成されている。【選択図】図３
2008251160.tif 000002
【特許請求の範囲】
【請求項１】
ディスク状記録媒体が挿入及び排出されるディスク挿入排出用開口を有する固定側フレームと、前記固定側フレームの前記ディスク挿入排出用開口の近傍に回動可能に配設され、ディスク状記録媒体の挿入動作及び排出動作を案内するディスクガイドと、前記固定側フレームに弾性部材を介して前記固定側フレームの内部にフローティング状態で配置され、ディスク状記録媒体の記録及び／又は再生を行うフローティングユニットと、装置内に挿入されたディスク記録媒体が前記ディスク挿入排出用開口から所望の位置まで排出されたことを検出するイジェクト検出レバーと、ディスク記録媒体の挿入前及びディスク記録媒体の排出完了時に前記フローティングユニットを固定側フレームに固定する制御スライダとを具備し、
前記フローティングユニットは、ディスク状記録媒体を前記ディスクガイドに押し付けて自転し、当該ディスク状記録媒体を所望の位置に搬送するローラアームを有するディスク搬送部を備え、
前記イジェクト検出レバーによってディスク状記録媒体の排出動作完了が検知されたとき、前記制御スライダが移動して、前記制御スライダに形成された凸部と前記固定側フレームに形成された凸部が当接し、前記ローラアームの一部が前記ディスクガイドの一部に係合することを特徴とするディスク装置。
【発明の詳細な説明】
【技術分野】
【０００１】
本発明は、ＣＤ、ＤＶＤ等のディスク状記録媒体の記録及び/又は再生を行うディスク装置に関し、特にディスク装置におけるディスク状記録媒体のディスクローディング機構に関する。
【背景技術】
【０００２】
近年、ＣＤ、ＤＶＤ等のディスク状記録媒体（以下、ディスクと略称する）を記録及び/又は再生するディスク装置は、小型化、薄型化及び軽量化されて携帯用又は車載用として使用されている。このようなディスク装置において、装置外部からの振動が記録再生中のディスクに対して直接的に伝わらないよう、ターンテーブルやスピンドルモータが実装されたブロックは、振動吸収部材により固定側フレームに保持されたフローティング構造となっている。このようなフローティング構造のブロック（フローティングブロック）には、挿入されたディスクを記録再生位置に搬送し記録再生位置からディスクを排出するディスク搬送駆動機構、記録再生位置のディスクを固定するディスク挟着機構、及び記録再生位置のディスクを記録再生するためのディスク記録再生機構等の多くの機構が設けられている（例えば、特許文献１参照。）。
【０００３】
特許文献１のディスク装置において、ディスクをディスク挿入口より挿入すると、ディスクの周縁部にガイドピンが摺動してディスクを案内するとともに、ガイドピンと連動するマイクロスイッチがディスク検知信号を制御回路に出力するよう構成されている。このディスク検知信号が制御回路に入力されることにより、正逆回転モータが駆動され、ディスクの表面に当接している移送ローラが回転を始め、ディスクは搬送される。このとき、フローティングブロックに設けられているディスク挟着機構のクランパは持ち上がっており、ターンテーブルの上方はディスクの搬送空間として確保されている。また、このときフローティングブロックは、ガイドピンと連動したロック手段により固定側フレームに固定されてロック状態となっている。ターンテーブル上に案内されたディスクは、コイルバネの付勢力で回動したクランパにより挟着されるとともにディスクを挟着するフローティングブロックのロック手段は係合状態が外れる。この結果、フローティングフレームは、ロック手段から完全に解放され、フローティングブロックは振動吸収部材のみに支持されたフローティング状態となり、ディスクは記録再生可能な状態となる。
【０００４】
ディスクの取り出し動作においては、取り出し信号が制御回路に入力されることにより、正逆回転モータが逆回転し、ロック手段がフローティングブロックをロック状態とする。このとき、クランパはコイルバネの付勢力に抗して持ち上げられ、移送ローラは移動してディスクと弾接可能な状態となり回転を始める。ディスクは移送ローラと接し、移送ローラの回転によりディスク挿入口の方向に移動する。ディスクがディスク挿入口の取り出し位置に到達したことは、フォトダイオードの検知手段により検出され、正逆回転モータが停止する。
【特許文献１】特開平０７−２７２４１７号公報（第４−６頁、第３図）
【発明の開示】
【発明が解決しようとする課題】
【０００５】
ディスク装置、特に携帯用又は車載用として用いられているディスク装置においては、前述のように複雑な動作を行う各機構が連動するよう構成されており、このように構成された各機構を有するフローティングブロックが、固定側フレームに対して所定空間を有してフローティング状態となるよう構成されている。携帯用又は車載用として用いられているディスク装置においては、小型、薄型化及び軽量化を達成すべく各機構の構成及び配置が考慮されて構成されているが、ディスクを搬送するための搬送空間やフローティングブロックを固定側フレームによりフローティング状態で保持するための保持空間はある程度の余裕を持って確保する必要があり絶対的な必要空間であった。
本発明は、ディスク装置の小型化、薄型化及び軽量化を達成すべき課題として、簡単な構成でディスクを搬送するための搬送空間やフローティングブロックと固定側フレームとの間の保持空間を必要な限り小さくして、小型化、薄型化及び軽量化を達成したディスク装置を提供することを目的としてなされたものである。
【課題を解決するための手段】
【０００６】
本発明のディスク装置は、ディスク状記録媒体が挿入及び排出されるディスク挿入排出用開口を有する固定側フレームと、前記固定側フレームの前記ディスク挿入排出用開口の近傍に回動可能に配設され、ディスク状記録媒体の挿入動作及び排出動作を案内するディスクガイドと、前記固定側フレームに弾性部材を介して前記固定側フレームの内部にフローティング状態で配置され、ディスク状記録媒体の記録及び／又は再生を行うフローティングユニットと、装置内に挿入されたディスク記録媒体が前記ディスク挿入排出用開口から所望の位置まで排出されたことを検出するイジェクト検出レバーと、ディスク記録媒体の挿入前及びディスク記録媒体の排出完了時に前記フローティングユニットを固定側フレームに固定する制御スライダとを具備し、前記フローティングユニットは、ディスク状記録媒体を前記ディスクガイドに押し付けて自転し、当該ディスク状記録媒体を所望の位置に搬送するローラアームを有するディスク搬送部を備え、前記イジェクト検出レバーによってディスク状記録媒体の排出動作完了が検知されたとき、前記制御スライダが移動して、前記制御スライダに形成された凸部と前記固定側フレームに形成された凸部が当接し、前記ローラアームの一部が前記ディスクガイドの一部に係合することを特徴とする。このように構成された本発明のディスク装置は、簡単な構成で装置の小型化、薄型化及び軽量化を達成することができるとともに、ディスク状記録媒体の排出動作完了後においては、フローティングユニットが確実にロック状態となるディスク装置を提供するができる。
【発明の効果】
【０００７】
本発明によれば、ディスク状記録媒体を搬送するための搬送空間や固定側フレームによりフローティングフレームをフローティング状態で保持するための保持空間を必要な限り小さくして、簡単な構成で小型化、薄型化及び軽量化を達成することができるとともに、ディスク状記録媒体の排出動作完了後においては、フローティングユニットが確実にロック状態となるディスク装置を提供することができる。
【発明を実施するための最良の形態】
【０００８】
以下、本発明に係るディスク装置の好適な実施の形態について添付の図面を参照して説明する。
【０００９】
実施の形態１
図１は実施の形態１のディスク装置における外観となる筐体を取り除いた状態を示す斜視図である。図２は図１に示したディスク装置に対してディスク状記録媒体であるディスクが挿入された状態を示す斜視図である。図３は図１に示したディスク装置の内部構成を示す分解斜視図である。
図１から図３に示す実施の形態１のディスク装置は、ディスク状記録媒体（以下、ディスクと略称する）１０１、例えば、ＣＤ、ＤＶＤ等を記録及び再生する機能を有しており、ディスク１０１がその直径方向に挿入されて記録再生位置に装着され、当該ディスク１０１の記録又は再生が行われる。
【００１０】
実施の形態１のディスク装置において、外観となる筐体に固定された固定側フレームは上フレーム１と下フレーム９に２分割されている。固定側フレームの内部には弾性体で形成された複数のダンパーバネ９０により支持され、フローティング状態のフローティングユニット１０が設けられている。ただし、フローティングユニット１０のフローティング状態は、ディスクの記録再生状態のときであり、その他の状態のときにはフローティングユニット１０が固定側フレームにロック機構により固定されるよう構成されている。このロック機構の詳細については後述する。
【００１１】
図３の分解斜視図に示すように、フローティングユニット１０には挿入されたディスク１０１をターンテーブル７０との間で挟着するクランパ部３と、ディスク１０１を搬送するディスク搬送部４と、このディスク搬送部４の駆動源であるモータ５０等を有するディスク搬送駆動部５と、ディスク１０１を所望の記録再生位置に配置するトラバースシャーシ６と、ディスク１０１を回転駆動してデータの記録又は再生を行うディスク記録再生駆動部７と、トラバースシャーシ６の裏面（ディスク載置面と反対の面）に配設されフローティングユニット１０内の各機構を駆動制御する電気回路を有するプリント基板８とが設けられている。
【００１２】
図４は固定側フレームの上フレーム１を示す分解斜視図である。図４に示すように、上フレーム１の裏面には、２箇所で回動可能に懸装されたディスクガイド２が設けられている。ディスクガイド２の装置奥側に形成された２つの突起２ａ、２ａが上フレーム１に形成された係合孔１ａ，１ａのそれぞれに係合して、ディスクガイド２は上フレーム１に対してその係合部分を中心に装置前面側が所定角度回動するよう構成されている。
【００１３】
図５は記録再生位置のディスク１０１を挟着するためのクランパ部３を示す斜視図である。図５に示すように、クランパ部３は挿入されたディスク１０１を押圧するクランパ３０と、クランパ３０を遊動可能に保持するクランパ保持部３１と、クランパ保持部３１をクランパアーム３２を介してトラバースシャーシ６に固定するクランパベース３３とを有している。クランパベース３３とクランパ保持部３１とを機械的に接続するクランパアーム３２は、弾性部材、例えば薄い金属板で構成されており、クランパ３０によるディスク挟着時の押圧力を規制している。クランパ３０はその中心部分においてクランパ保持部３１により回転可能な係合状態で保持されている。
【００１４】
上記のように構成されたクランパ部３のクランパ３０は、ディスク１０１が挿入されて搬送されているとき、ターンテーブル７０の上方、即ちターンテーブル７０から離間する位置に配置されて、上フレーム１に当接している。クランパ部３はクランパベース３３がフローティングユニット１０のトラバースシャーシ６に軸止されており、その軸に設けた付勢手段（図示省略）、例えばバネやクランク機構やカム機構によりクランパ３０がターンテーブル７０の方向に常に付勢されている。しかし、ディスク１０１が記録再生位置以外のときには、クランパ３０は係止手段により上フレーム１に当接して、クランパ３０がターンテーブル７０から離間した位置に配置される。そして、挿入されたディスク１０１がターンテーブル７０上の位置（記録再生位置）に搬送されたとき、前記係止手段が外れてバネの付勢力やクランク機構やカム機構によりクランパ３０がディスク１０１を間にしてターンテーブル７０を押圧する。この結果、ディスク１０１はターンテーブル７０上に確実に配置され記録再生可能な状態となる。
【００１５】
図６は、実施の形態１のディスク装置のフローティングユニット１０における、ディスク搬送部４、ディスク搬送駆動部５、及びトラバースシャーシ６を示す斜視図である。
ディスク搬送部４は、装置内に挿入されたディスク１０１をディスクガイド２に押圧しつつ自転することにより装置内の所定方向に搬送するローラアーム４０を有している。ローラアーム４０は搬送ローラ４０ａを有しており、この搬送ローラ４０ａの形状は、その中心部分の直径が小さく両側へ行くほど直径が太くなる２つの円錐形で構成されている。搬送ローラ４０ａにおけるディスク１０１との接触部分はゴム材で構成されている。このように構成されたローラアーム４０は、ディスク搬送時において搬送ローラ４０ａに対してディスク１０１の外周縁のみが接触し、ディスク記録面が保護されている。ローラアーム４０の搬送ローラ４０ａは、ディスク１０１が記録再生位置以外の時、バネの付勢力によりディスクガイド２に押し付けられており、ディスク搬送が完了してディスク１０１が記録再生位置に到達したとき、搬送ローラ４０ａは下方（上フレーム１から離間する方向）に移動するよう構成されている。
【００１６】
実施の形態１のディスク装置においては、搬送ローラ４０ａの回転軸の方向が、ディスク装置のディスク挿入排出口１１のある前面に対して所定角度傾いている。これは、トラバースシャーシ６におけるディスク１０１の挿入及び排出の移動軌跡がディスク装置のディスク挿入排出口１１と平行な線に対して直交するよう、すなわち装置の上面から見たとき装置の前後方向に真っ直ぐ移動するよう構成されていないため、ディスクを斜行して搬送する必要があるためである。したがって、挿入されたディスク１０１は、ディスク挿入排出口１１のある装置前面に対して斜めに搬送されるよう構成されている。実施の形態１におけるトラバースシャーシ６においては、ディスク搬送駆動部５のモータ５０がトラバースシャーシ６の前面であるディスク挿入排出口１１の近傍に配設されており、そのモータ５０の奥側に記録再生位置の一部が配置された構成である。このため、実施の形態１においては、ディスク挿入排出口１１からディスク１０１を斜めに搬送して、ディスク再生位置に配置する構成である。
【００１７】
図６に示すディスク搬送駆動部５は、ディスク搬送時（ディスクローディング時とディスクアンローディング時）にローラアーム４０を回転駆動する前述のモータ５０と、ディスク挿入前及びディスク排出完了時（ディスクアンローディング完了時）にトラバースシャーシ６を固定側フレームに固定する等の機能を持つ制御スライダ５１と、ディスクローディング動作が完了したときのディスク１０１の記録再生位置の到達を検知するトリガーレバー５２と、モータ５０の回転をローラアーム４０や制御スライダ５１等に伝動するギヤ列５３と有している。なお、図６においては、トリガーレバー５２がトラバースシャーシ６内の後方位置に配置して示したが、トリガーレバー５２の一端は制御スライダ５１の後方端部に接触するよう構成されており、トリガーレバー５２の移動により制御スライダ５１が連動するよう構成されている。トリガーレバー５２の他端であるトラバースシャーシ６内の端部は、ディスク１０１が記録再生位置の上方に到達したときディスク１０１の縁部と当接する位置に配置されている。
【００１８】
上記のように構成されたディスク搬送部４とディスク搬送駆動部５とが装着されたトラバースシャーシ６には、ディスク記録再生駆動部７とプリント基板８が取り付けられている。トラバースシャーシ６の前面には、ディスク挿入排出口１１の近傍に配置されディスク１０１が装置内に挿入されたことを検出するディスク検出レバー４１と、このディスク検出レバー４１の後方に配置され、ディスク１０１の排出状態を検出するイジェクト検出レバー４２とが設けられている。ディスク挿入検知レバー４１とイジェクト検出レバー４２は、バネの付勢力により常に上方向へ付勢されており、ディスク１０１が挿入されていないとき、上方の所定位置に配置されている。
【００１９】
図６に示すように、ディスク検出レバー４１は、ディスク挿入排出口１１の両側近傍に配設されており、両側に広がりその両端が少し持ち上がった羽根形状を有している。ディスク１０１がディスク挿入排出口１１から挿入されたとき、ディスク１０１の外縁部分が両側に配置されたディスク検出レバー４１のいずれか一方若しくはそれぞれの検出面（図６における上面）４１ａを押し下げて、ディスク検出レバー４１に形成された突起４１ｂがマイクロスイッチである検出スイッチ８１を押圧する。この検出スイッチ８１が押圧されることにより、正逆回転するモータ５０が所望の方向への回転を始動し、ギヤ列５３を介してローラアーム４０の搬送ローラ４０ａを回転駆動する。この結果、挿入されたディスク１０１がローラアーム４０の搬送ローラ４０ａの回転駆動によりトラバースシャーシ６における記録再生位置に搬送される。
【００２０】
なお、ディスク１０１の排出動作時においては、モータ５０が挿入動作時と逆の方向に回転してディスク１０１を記録再生位置からディスク挿入排出口１１へ搬送ローラ４０ａの回転駆動により搬送される。ディスク１０１がディスク挿入排出口１１から所望の位置まで排出されたことはイジェクト検出レバー４２により検出される。イジェクト検出レバー４２はディスク検出レバー４１とほぼ同様の形状を有しており、上面が検出面４２ａとなっている。この検出面４２ａがディスク１０１の外周面との接触から外れることによりディスク１０１の排出の完了を検知し、その排出動作の完了となる。
【００２１】
図７はディスク記録再生駆動部７、プリント基板８、及び下フレーム９を示す分解斜視図である。下フレーム９はフローティングユニット１０をダンパーバネ９０によりフローティング状態で保持している。
図７に示すように、ディスク記録再生駆動部７はディスク１０１を載置して回転駆動するターンテーブル７０、このターンテーブル７０を回転するスピンドルモータ７１、ディスク１０１の記録再生を行う光ピック部７２、及び光ピック部７２をディスク１０１の径方向に駆動する光ピック駆動モータ７３を有している。プリント基板８はトラバースシャーシ６の裏面に取りつけられており、トラバースシャーシ６に設けられた各機構を駆動制御する電気回路が形成されている。
【００２２】
上記のように構成されたフローティングユニット１０は、筐体に取り付けられた固定側フレームである下フレーム９により粘弾性機能を有するダンパーバネ９０により保持されている。ディスク挿入前の状態において、フローティングユニット１０は制御スライダ５１とローラアーム４０のディスクガイド２への押し付け動作により上フレーム１と下フレーム９によるフレーム内部において下方位置にある。この状態において、ディスク１０１が挿入されると、ディスク１０１がローラアーム４０とディスクガイド２との間に入り記録再生位置に搬送される。ディスク１０１が記録再生位置に到達すると、フローティングユニット１０はフローティング状態となり上昇して、ディスク１０１はターンテーブル７０とクランパ３０により挟着される。
次に、ディスク１０１の排出動作においては、ローラアーム４０のディスクガイド２への押し付け動作と制御スライダ５１により、ダンパーバネ９０が圧縮されてフローティングユニット１０が下降して固定側フレーム内部の下方位置となる。
【００２３】
次に、実施の形態１のディスク装置における動作について説明する。
図８は実施の形態１のディスク装置におけるディスク搬送部４とディスク搬送駆動部５とを拡大して示した斜視図である。図９はディスク搬送駆動部５におけるモータ５０の近傍の構成を示す斜視図であり、図１０は装置前面から見たディスク搬送部４における右側部分を示す斜視図である。図１１はディスク搬送部４とディスクガイド２との係合関係を示す斜視図であり、図１２は図１１に示したディスク搬送部４における装置前面から見た右側部分を示す斜視図である。
【００２４】
図８はディスク１０１が実施の形態１のディスク装置に挿入されたときの状態を示しており、図８においてディスク１０１を２点鎖線で示している。ディスク１０１がディスク挿入排出口１１に挿入されると、ディスク検出レバー４１がバネ４１ｃの付勢力に抗して押し下げられ、検出スイッチ８１がオン状態となりディスク検出信号がプリント基板８の電気回路に伝えられる。その結果、モータ５０がディスク１０１を挿入する方向へ回転し、その回転駆動力がギヤ列５３を介してローラアーム４０に伝えられる。
【００２５】
図９はモータ５０からローラアーム４０への回転駆動力の伝達機構を示す斜視図である。図９に示すように、この伝達機構は、モータ５０の回転軸に設けられたウォーム５０ａと、ウォーム５０ａに歯合するギヤ５６ａとその上部に同軸で形成されたギヤ５６ｂの上下２段の歯を有するウォームホイール５６と、中間ギヤ５７と、ローラアームギヤ４０ｄとを有している。中間ギヤ５７はウォームホイール５６の上側のギヤ５６ｂと歯合するギヤ５７ａと、ローラアームギヤ４０ｄと歯合するギヤ５７ｂとを有している。
【００２６】
この伝達機構におけるウォームホイール５６の回転軸は、ディスク１０１の挿入方向に垂直な方向、すなわち実質的な鉛直方向に対して傾いて設けられている。実施の形態１において、ウォームホイール５６は鉛直方向に対して後方へ１５度傾けて設けられている。なお、実施の形態１における傾き角度１５度は一例であり、本発明はこの数値に限定されるものではなく、該当する装置における構成において適切な角度が選択されることは云うまでもない。
このように、ウォームホイール５６の回転軸を傾けることにより、モータ５０のウォーム５０ａと歯合位置の水平レベルを他のギヤとの歯合位置の水平レベルに近づけることが可能となり、モータ５０の配設位置を装置の厚みを大きくする方向、すなわち下方位置に下げる必要がなくなる。また、ウォームホイール５６の回転軸を傾けることにより、鉛直方向に配置した場合に比べて小さな空間でギヤ列を配設することが可能となる。したがって、上記のように構成された伝達機構のギヤ列５３は、小さな空間で所望の伝達機能を有する構成となり、この構成を有するギヤ列５３を用いたディスク装置は薄型化及び小型化を達成することが可能となる。さらに、実施の形態１のディスク装置においては、モータ５０からローラアーム４０への回転駆動力の伝達機構が、少ない部品で構成しているため、ディスク装置全体の省部品化と軽量化を達成している。
【００２７】
前述のように、実施の形態１のディスク装置において、ディスク１０１がディスクローディング完了時、すなわち記録再生位置にあるとき、ローラアーム４０の搬送ローラ４０ａは上フレーム１から離間する方向（下方向）に移動する。このディスクローディング完了時は、ディスク１０１がトリガーレバー５２を押圧することにより検知される。トリガーレバー５２の一端がディスク１０１により押圧されると、トリガーレバー５２の他端が制御スライダ５１を装置前方へ摺動させる（図８参照）。制御スライダ５１が装置前方へ摺動すると、ローラ制御アーム５５がローラアーム４０を下方の所定位置まで回動する。
この結果、ローラアーム４０の搬送ローラ４０ａが接触しているガイドプレート２は上フレーム１から垂れ下がった状態となり、トラバースシャーシ６のチンガード６１に当接して、ディスク挿入排出口１１を閉鎖状態とする。これにより、すでにディスク１０１が記録再生位置にあるとき、ディスク挿入排出口１１からは２枚目のディスク１０１の挿入が確実に禁止される。
【００２８】
また、トリガーレバー５２の一端がディスク１０１に押圧され、制御スライダ５１が装置前方へ摺動すると、制御スライダ５１に形成された２箇所の凸部５１ａ、５１ａと上フレーム１の裏面に形成された凸部１ｂ、１ｂ（後述する図１４参照）とのそれぞれの当接状態が外れてフローティングユニット１０をロック状態から解放し、すなわちフローティング状態とする。このようにディスク１０１が記録再生位置に配置されたとき、フローティングユニット１０はフローティング状態となり記録再生可能な状態となる。
フローティング状態のフローティングユニット１０の上下方向（装置の幅方向）のレベル位置は、ローラアーム４０の搬送ローラ４０ａがディスク１０１をガイドプレート２に押し付けて搬送する搬送動作（ローディング動作）のときのレベル位置より上方となっている。これは、フローティングユニット１０に設けたローラアーム４０が固定側フレーム（上フレーム１）に設けたガイドプレートに対して押し付け動作を行うためである。したがって、フローティングユニット１０はディスク搬送時には下方に位置してディスク搬送空間を確保し、ディスクが記録再生位置に配置されるよう構成されている。
【００２９】
次に、記録再生位置のディスク１０１に対する排出指令が生じたとき、ローラアーム４０はガイドプレート２とともにローラ制御アーム５５により上方へ回動される。このとき、ローラアーム４０の搬送ローラ４０ａはディスク１０１を排出する方向への自転動作を開始し、排出すべきディスク１０１をガイドプレート２へ押し付けつつ排出する。またこのとき、制御スライダ５１は装置後方へ摺動しているため、制御スライダ５１に形成された凸部５１ａ、５１ａと固定側フレームである上フレーム１に形成された凸部１ｂ、１ｂとが当接状態となり、制御スライダ５１が設けられたフローティングユニット１０をロック状態とする。このロック状態において、フローティングユニット１０と下フレーム９との間のダンパーバネ９０は圧縮された状態である。
ディスク排出検出レバー４２がディスク１０１の排出を検知したあと、ディスク１０１をユーザーにより取り出されると、ローラアーム４０はローラ制御アーム５５の駆動規制から解放され、バネの付勢力により上フレーム１の方向へ上昇し、上フレーム１に当接しているディスクガイド２に形成された爪２ｂとローラアーム４０の係合部４０ｂが係合する。図１１はディスクガイド２に形成された爪２ｂとローラアーム４０の係合部４０ｂとが係合した状態を示す斜視図である。図１２は装置前面から見た右側におけるディスクガイド２に形成された爪２ｂとローラアーム４０の係合部４０ｂとが係合した状態を示す斜視図である。
【００３０】
実施の形態１のディスク装置においては、ディスク１０１の排出を開始し、ディスク１０１の排出が完了して、ユーザーによりディスク１０１が取り出されると、上記のように、ローラアーム４０がバネの付勢力により上フレーム１の方向へ上昇し、ディスクガイド２の爪２ｂとローラアーム４０の係合部４０ｂが係合するとともに、ローラアーム４０に形成された係合爪４０ｃが固定側フレームの下フレーム９に形成された凹部９ａと係合してその回動が規制されている。図１３は実施の形態１のディスク装置の裏面の一部を拡大して示した斜視図であり、ローラアーム４０の係合爪４０ｃと下フレーム９の凹部９ａとの係合動作を示す部分図である。図１３の（ａ）は記録再生状態のときのローラアーム４０の係合爪４０ｃと下フレーム９の凹部９ａとを示し、（ｂ）は排出動作完了時のローラアーム４０の係合爪４０ｃと下フレーム９の凹部９ａとの係合状態を示している。
【００３１】
前述のように、ディスク１０１がトリガーレバー５２に当接して、ディスク１０１の挿入搬送動作（ローディング動作）が完了すると、ディスク搬送駆動部５の制御スライダ５１が装置前方へ摺動して、制御スライダ５１に形成された凸部５１ａ、５１ａと上フレーム１の裏面に形成された凸部１ｂ、１ｂとのそれぞれの当接状態が外れる。この結果、フローティングユニット１０はフローティング状態となる。
図１４の（ａ）は制御スライダ５１の凸部５１ａ、５１ａと上フレーム１の凸部１ｂ、１ｂとの当接状態が外れたフローティング状態における上フレーム１と制御スライダ５１との配置関係を示す斜視図であり、上フレーム１を下から見上げた状態を示している。図１４の（ｂ）はディスク１０１の搬送動作中や排出完了後のロック状態における上フレーム１と制御スライダ５１との配置関係を示している。図１４の（ｂ）に示すように、制御スライダ５１に形成された凸部５１ａ、５１ａと上フレーム１の裏面に形成された凸部１ｂ、１ｂとのそれぞれは当接状態となっている。
【００３２】
以上のように、実施の形態１のディスク装置において、ディスク１０１の排出完了後において、制御スライダ５１の凸部５１ａ、５１ａと上フレーム１の凸部１ｂ、１ｂとが当接状態になるとともに、ディスクガイド２の爪２ｂとローラアーム４０の係合部４０ｂが係合（図１１、１２参照）し、ローラアーム４０の係合爪４０ｃと下フレーム９の凹部９ａが係合（図１３の（ｂ））する。この結果、実施の形態１のディスク装置は、ディスク１０１の排出完了後においてはフローティングユニット１０が確実に固定側フレームに固定された状態となる。
【００３３】
本発明のディスク装置は、実施の形態１において詳細に説明したように、ディスク搬送のためのディスクガイド２が固定側フレームである上フレーム１に設けられているため、ディスクガイドがフローティングユニットに設けられた場合に比べて装置の薄型化及び小型化が可能となる。ディスクガイドがフローティングユニットに設けられた場合には、フローティングユニットをフローティング状態とするためにディスクガイドと固定側フレームとの間に保持空間を必要とする。しかし、本発明に係る実施の形態１のディスク装置においては、ディスクガイド２が固定側フレームに設けられておりその間には保持空間を必要としない構成である。また、本発明に係る実施の形態１のディスク装置においては、ディスクガイド２とフローティングユニット１０との間の空間は、ディスクを搬送するための搬送空間であるとともにフローティングユニット１０をフローティング状態で保持するための保持空間となっている。さらに、本発明のディスク装置においては、ディスク搬送時にローラアーム４０がディスクガイド２へ押し付け動作を行うことにより、所望の大きさの搬送空間を形成し、記録再生時にローラアーム４０が回動しクランパ部３が挟着動作を行うことにより、フローティングユニット１０が固定側フレームに対して所望の保持空間を確保してフローティング状態となる。以上のように、本発明のディスク装置は小型化、薄型化及び軽量化を達成しつつ所望の搬送空間及び保持空間を確保することが可能となる。
なお、上記の実施の形態においては、記録及び再生が可能なディスク装置について説明したが、本発明はこのような装置に限定されるものではなく、ディスク状記録媒体の記録装置又は再生装置等のディスク装置においても適用可能である。
【産業上の利用可能性】
【００３４】
本発明は、ＣＤ、ＤＶＤ等のディスク状記録媒体の記録又は再生を行う小型のディスク装置に特に有用であり、装置に挿入されたディスクを確実に挟着できる薄型のディスク装置を提供できる。
【図面の簡単な説明】
【００３５】
【図１】本発明に係る実施の形態１のディスク装置における外観筐体を取り除いた状態を示す斜視図である。
【図２】図１に示したディスク装置に対してディスク状記録媒体の挿入途中状態を示す斜視図である。
【図３】図１に示したディスク装置の内部構成を示す斜視図である。
【図４】実施の形態１における上フレーム１を示す分解斜視図である。
【図５】実施の形態１におけるクランパ部３を示す斜視図である。
【図６】実施の形態１のディスク装置におけるフローティングユニット１０の搬送部４、ディスク搬送駆動部５、及びトラバースシャーシ６を示す斜視図である。
【図７】実施の形態１のディスク装置におけるディスク記録再生駆動部７とプリント基板８、及びトラバースシャーシ６をダンパーバネ９０により保持する下フレーム９０を示す分解斜視図である。
【図８】実施の形態１のディスク装置におけるディスク搬送部４とディスク搬送駆動部５とを拡大して示した斜視図である。
【図９】ディスク搬送駆動部５におけるモータ５０の近傍の構成を示す斜視図である。
【図１０】装置前面から見たディスク搬送部４における右側部分を示す斜視図である。
【図１１】ディスク搬送部４とディスクガイド２との係合関係を示す斜視図である。
【図１２】図１１に示したディスク搬送部４における装置前面から見た右側部分を示す斜視図である。
【図１３】実施の形態１のディスク装置の裏面の一部を拡大して示した斜視図であり、ローラアーム４０の係合爪４０ｃと下フレーム９の凹部９ａとの係合動作を示す部分図である。
【図１４】実施の形態１のディスク装置における上フレーム１と制御スライダ５１との当接状態を示す図であり、上フレーム１を見上げた状態を示す斜視図である。
【符号の説明】
【００３６】
１    上フレーム
１ａ  係合孔
１ｂ  凸部
２    ディスクガイド
２ａ  突起
２ｂ  爪
３    クランパ部
４    ディスク搬送部
５    ディスク搬送駆動部
６    トラバースシャーシ
７    ディスク記録再生駆動部
８    プリント基板
９    下フレーム
９ａ  凹部
１０    フローティングユニット
１１    ディスク挿入排出口
３０    クランパ
３１    クランパ保持部
３２    クランパアーム
３３    クランパベース
４０    ローラアーム
４０ａ  搬送ローラ
４０ｂ  凹部
４０ｃ  係合爪
４０ｄ  ローラアームギヤ
４１    ディスク検出レバー
４２    イジェクト検出レバー
５０    モータ
５０ａ  ウォーム
５１    制御スライダ
５１ａ  凸部
５２    トリガーレバー
５３    ギヤ列
５６    ウォームホイール
６１    チンガイド
７０    ターンテーブル
７１    スピンドルモータ
７２    光ピック部
７３    モータ
８１    検出スイッチ
９０    ダンパーバネ
１０１    ディスク
【図１】
2008251160.tif 000003
【図２】
2008251160.tif 000004
【図３】
2008251160.tif 000005
【図４】
2008251160.tif 000006
【図５】
2008251160.tif 000007
【図６】
2008251160.tif 000008
【図７】
2008251160.tif 000009
【図８】
2008251160.tif 000010
【図９】
2008251160.tif 000011
【図１０】
2008251160.tif 000012
【図１１】
2008251160.tif 000013
【図１２】
2008251160.tif 000014
【図１３】
2008251160.tif 000015
【図１４】
2008251160.tif 000016